(57)【要約】【課題】ヘッドスペースの容積を減少させると共に、使用途中でポンプ装置を取り外した場合でも空気が入らないようにして、内容液を吐出する際にエア咬みが生じるのを回避できるエアレス容器を提供する。【解決手段】中空の中栓アダプター１５が、容器本体１３の口首部１３ａに嵌め込まれており、口首部１３ａを覆って、ポンプ装置１４のキャップ部１６が装着されている。中栓アダプター１５は、口首部１３ａの内径と同様の外径を有する、口首部１３ａよりも長さの長い筒状部１７と、筒状部１７の下端部を閉塞する、チューブ部１４ａを液密状態を保ったままで挿通可能な開閉弁１８を備える底部１９とからなる。中栓アダプター１５は、嵌着部分１７ａが嵌着されるまで押し込まれて、底部１９を口首部１３ａの下方に配置した状態で口首部１３ａに取り付けられている。【選択図】図２
2014231362.tif 000002
【特許請求の範囲】
【請求項１】
容器本体の収容部に収容された内容液を、前記収容部の内容積を減少させながら、容器本体の口首部に装着されたポンプ装置によって吐出させるエアレス容器あって、
内容液が使用される前の状態において、中空の中栓アダプターが、前記容器本体の口首部の内側に嵌め込まれていると共に、前記口首部を覆って装着部材が装着されており、
前記中栓アダプターは、前記容器本体の口首部の内径と同様の外径の嵌着部分を有する、前記口首部の長さより長い筒状部と、該筒状部の下端部を閉塞し、前記ポンプ装置のシリンダー部又はチューブ部を差し込み可能な開閉弁を備える底部とからなり、
該開閉弁は、前記ポンプ装置のシリンダー部又はチューブ部が差し込まれていない状態および前記ポンプ装置が前記口首部に装着された状態のいずれの状態においても、前記底部において液体を通さない開閉弁であり、
前記中栓アダプターは、前記嵌着部分が押し込まれて、前記底部を前記口首部より下方に配置した状態で前記口首部に取り付けられているエアレス容器。
【請求項２】
前記中栓アダプターは、前記嵌着部分が嵌着されるまで押し込まれた状態で、前記開閉弁を備える底部を、前記収容部に収容された内容液の液面又は液面よりも下方に配置させる長さを有している請求項１記載のエアレス容器
【請求項３】
前記中栓アダプターの前記筒状部の外周面には、下端部分から少なくとも上端近傍部分に至るまで空気排出溝が形成されている請求項１又は２記載のエアレス容器。
【請求項４】
前記中栓アダプターは、前記開閉弁を有する底部の上方に、前記ポンプ装置のシリンダー部又はチューブ部を差し込み可能な補助開閉弁を備えており、該補助開閉弁は、前記ポンプ装置のシリンダー部又はチューブ部が差し込まれていない状態および前記ポンプ装置が前記口首部に装着された状態のいずれの状態においても、前記底部の上方において液体を通さない開閉弁である請求項１〜３のいずれか１項記載のエアレス容器。
【請求項５】
前記容器本体の収容部に収容された内容液は、粘度が５０００〜１０００００ｍＰａ・ｓの内容液である請求項１〜４のいずれか１項記載のエアレス容器。
【請求項６】
請求項１〜５のいずれか１項記載のエアレス容器に用いる中空の中栓アダプターであって、
前記容器本体の口首部の内径と同様の外径の嵌着部分を有する、前記口首部の長さより長い筒状部と、該筒状部の下端部を閉塞する、前記ポンプ装置のシリンダー部又はチューブ部を差し込み可能な開閉弁を備える底部とからなり、該開閉弁は、前記ポンプ装置のシリンダー部又はチューブ部が差し込まれていない状態および前記ポンプ装置が前記口首部に装着された状態のいずれの状態においても、前記底部において液体を通さない開閉弁である中栓アダプター。
【請求項７】
前記筒状部の外周面には、下端部分から少なくとも上端近傍部分に至るまで空気排出溝が形成されている請求項６記載の中栓アダプター。
【請求項８】
前記筒状部と、前記開閉弁を有する底部とが一体となった一体成形品として形成されている請求項６又は７記載の中栓アダプター。
【請求項９】
請求項１〜５のいずれか１項記載のエアレス容器の容器本体の口首部に、前記装着部材としてポンプ装置が装着されているポンプ付き容器。
【発明の詳細な説明】
【技術分野】
【０００１】
本発明は、収容部に収容された内容液を、空気と置換することなく、すなわち収容部の内容積を減少させながら吐出させるエアレス容器、及び該エアレス容器に用いる中栓アダプターに関する。
【背景技術】
【０００２】
エアレス容器は、収容部に収容された内容液を、空気と置換することなく、収容部の体積（内容積）を減少させながら吐出する容器である。エアレス容器としては、例えば、保形性を有する外容器と、外容器の内部に剥離可能に装着された、柔軟な可撓性を有する内袋とからなる容器本体を有しており、内袋を収容部として内容液が充填収容されると共に、容器本体の口首部に装着されたポンプ装置等の作用によって、内袋を減容変形させながら内容液を吐出させる一方で、外容器に形成された空気流入孔を介して内袋と外容器との間に空気を送り込むことによって、外容器による容器本体の外観形状を保持できるようにした、いわゆるデラミ容器（二重剥離容器）が知られている。
【０００３】
また、他のエアレス容器として、例えば、保形性を有する容器本体の内部に、上下に摺動可能に中皿が設けられており、この中皿よりも上方部分を収容部として内容液が充填収容されると共に、ポンプ装置の作用によって、中皿を上昇させることにより収容部を減容させながら内容液を吐出させるようにした、いわゆるポップル容器や、内容液が充填収容された可撓性を有するチューブ容器の一端部にポンプ装置が取り付けられており、ポンプ装置の作用によって、チューブ容器を減容変形させながら内容液を吐出させるようにした、いわゆるチューブポンプ容器等が知られている。
【０００４】
これらのエアレス容器によれば、収容部の内側面に付着しやすい例えば粘度の高い内容液が収容されている場合でも、効率良く内容液を吐出させることが可能になる。
【０００５】
一方、近年、各種の液体や、その他の内容物を収納する合成樹脂製の容器について、環境負荷の低減が図られるようになっており、例えば内容液を吐出させるポンプ装置等の吐出装置を、内容液の収容部を有する容器本体に着け替え可能に形成することで、高価な吐出装置をその都度廃棄することなく長期間使用できるようにして、材料費や製造コストを低減することが行われている。
【０００６】
例えば、収容部に内容液を収容した着け替え用のボトル容器に、内容液を吐出させるポンプ装置を着け替えることを可能にした、ポンプ付き液体容器が種々開発されている（例えば、特許文献１参照）。特許文献１の汲み出しポンプ付液体容器用の詰め替えボトルでは、詰め替えボトルの上端の開口部に嵌合せしめて内溶液の収容部を密封する中栓が取り付けられており、この中栓には、ポンプ装置のシリンダー部分を挿入させるシリンダー受け口が形成されていると共に、このシリンダー受け口の下端には、密封用のシール膜が設けられた吸引口が形成されており、シリンダー受け口にポンプ装置を挿入したときに、ポンプのシリンダー部分の先端でシール膜を破断することで、吸引口を開封するようになっている。これによって、ポンプ装置の着け替え時に、雑菌や異物がボトルの内部に持ち込まれないようにしている。
【先行技術文献】
【特許文献】
【０００７】
【特許文献１】特開２００３−２９２０７３号公報
【発明の概要】
【発明が解決しようとする課題】
【０００８】
収容部に収容された内容液を、空気と置換することなく、収容部の内容積を減少させながら吐出させるエアレス容器では、特に粘度の高い内容液を収容した場合に、収容部に充填収容された内容液の液面と容器本体の上端（先端）の開口部との間に形成されるヘッドスペースに残存する空気が、例えば容器の搬送中に、収容された内容液の内部に混入すると、混入した空気が抜け難くなって長期に滞留することで、容器の使用中に、空気を混入した内容液がポンプ装置から吐出されるエア咬みの問題を生じ易い。
【０００９】
このため、エアレス容器が製品化された状態において、収容部に充填収容された内容液の液面と、容器本体の上端の開口部との間に形成されるヘッドスペースの容積を、極力減少させることが望ましい。ところが、特許文献１の詰め替えボトルでは、ヘッドスペースの容積を十分に減少させることができず、また吸引口は、シリンダー部分の先端によってシール膜が破断されることで開封されることから、使用者が使用途中で中栓からポンプ装置を取り外すと、破断され開封されたままの吸引口から空気が収容部に入り込み易くなって、再度ポンプ装置を取り付けて容器を使用した際に、エア咬みの問題を生じ易くなる。
【００１０】
本発明は、内容液が使用される前の状態において、内容液の液面と、容器本体の上端の開口部との間に形成されるヘッドスペースの容積を十分に減少させると共に、使用者が使用途中でポンプ装置を取り外した場合でも、空気が収容部に入らないようにして、内容液を吐出する際にエア咬みが生じるのを効果的に回避することのできるエアレス容器、及び該エアレス容器に用いる中栓アダプターを提供することを目的とする。
【課題を解決するための手段】
【００１１】
本発明は、容器本体の収容部に収容された内容液を、前記収容部の内容積を減少させながら、容器本体の口首部に装着されたポンプ装置によって吐出させるエアレス容器であって、内容液が使用される前の状態において、中空の中栓アダプターが、前記容器本体の口首部の内側に嵌め込まれていると共に、前記口首部を覆って装着部材が装着されており、前記中栓アダプターは、前記容器本体の口首部の内径と同様の外径の嵌着部分を有する、前記口首部の長さより長い筒状部と、該筒状部の下端部を閉塞し、前記ポンプ装置のシリンダー部又はチューブ部を差し込み可能な開閉弁を備える底部とからなる。該開閉弁は、前記ポンプ装置のシリンダー部又はチューブ部が差し込まれていない状態および前記ポンプ装置が前記口首部に装着された状態のいずれの状態においても、前記底部において液体を通さない開閉弁であり、前記中栓アダプターは、前記嵌着部分が押し込まれて、前記底部を前記口首部の下方に配置した状態で前記口首部に取り付けられているエアレス容器を提供することにより、上記目的を達成したものである。
【００１２】
また、本発明は、前記エアレス容器に用いる中空の中栓アダプターであって、前記容器本体の口首部の内径と同様の外径の嵌着部分を有する、前記口首部の長さより長い筒状部と、該筒状部の下端部を閉塞する、前記ポンプ装置のシリンダー部又はチューブ部を差し込み可能な開閉弁を備える底部とからなり、該開閉弁は、前記ポンプ装置のシリンダー部又はチューブ部が差し込まれていない状態および前記ポンプ装置が前記口首部に装着された状態のいずれの状態においても、前記底部において液体を通さない開閉弁である中栓アダプターを提供することにより、上記目的を達成したものである。
【００１３】
さらに、本発明は、前記エアレス容器の容器本体の口首部に、前記装着部材としてポンプ装置が装着されているポンプ付き容器を提供することにより、上記目的を達成したものである。
【発明の効果】
【００１４】
本発明のエアレス容器、又は該エアレス容器に用いる中栓アダプターによれば、内容液の液面と、容器本体の上端の開口部との間に形成されるヘッドスペースの容積を十分に減少させると共に、使用者が使用途中でポンプ装置を取り外した場合でも、空気が収容部に入らないようにして、内容液を吐出する際にエア咬みが生じるのを効果的に回避することができる。
【図面の簡単な説明】
【００１５】
【図１】本発明の好ましい第１実施形態に係るエアレス容器である、ポンプ装置が取り付けられたデラミ容器の構成を説明する略示断面図である。
【図２】本発明の好ましい第１実施形態に係るエアレス容器の要部略示断面図である。
【図３】（ａ）は中栓アダプターの断面図、（ｂ）は（ａ）のＡ−Ａに沿った断面図である。
【図４】容器本体の口首部に中栓アダプター及びポンプ装置を取り付ける工程の説明図である。
【図５】本発明の好ましい第２実施形態に係るエアレス容器である、ポンプ装置が後から取り付けられる着け替え用のデラミ容器の構成を説明する要部略示断面図である。
【図６】中栓アダプターの他の形態を例示する断面図である。
【図７】（ａ）、（ｂ）は、中栓アダプターのさらに他の形態を例示する略示断面図である。
【図８】本発明の好ましい他の実施形態のエアレス容器である、（ａ）はポップル容器の略示部分断面図、（ｂ）はチューブポンプ容器の略示部分断面図である。
【図９】（ａ）〜（ｄ）は、中栓アダプターの筒状部のさらに他の形態を例示する略示斜視図である。
【発明を実施するための形態】
【００１６】
図１に示す本発明の好ましい第１実施形態に係るエアレス容器１０は、保形性を有する外容器１１と、外容器１１の内部に剥離可能に貼り付けられた、柔軟な内袋１２とからなる容器本体１３を有しており、ポンプ装置１４が予め取り付けられている。容器本体１３はいわゆるデラミ容器（二重剥離容器）と呼ばれるものであって、内袋１２を収容部として内容液が充填され収容される。エアレス容器１０においては、容器本体１３の口首部１３ａに装着されたポンプ装置１４の作用によって、内袋１２の体積（内容積）を減らしながら内容液を吐出させる一方で、内袋の体積が減ることで外容器１１の底部に形成された空気流入孔を介して内袋１２と外容器１１との間に空気が吸い込まれることによって、外容器１１すなわち容器本体１３の外観形状を保持できる。本第１実施形態のエアレス容器１０は、容器本体１３の口首部１３ａに後述する中栓アダプター１５が取り付けられていることにより、内容液が使用される前の状態において、内袋１２の上端部に形成されるヘッドスペースの容積を効果的に減少させると共に、使用者が使用途中にポンプ装置１４を取り外した場合でも、空気が内袋１２の内部に流入しないようにする機能を備える。
【００１７】
そして、本第１実施形態のエアレス容器１０は、容器本体１３の内袋１２による収容部に収容された内容液を、空気と置換することなく、内袋１２の内容積を減少させて変形させながら、容器本体１３の口首部１３ａに予め取り付けられたポンプ装置１４によって吐出させるデラミ容器であって、図１及び図２に示すように、内容液が使用される前の状態において、中空の中栓アダプター１５が、容器本体１３の口首部１３ａの内側に嵌め込まれていると共に、口首部１３ａを覆って、装着部材としてのポンプ装置１４が装着されている。中栓アダプター１５は、容器本体１３の口首部１３ａの内径と同様の外径の嵌着部分１７ａを好ましくは上端部に有する、口首部１３ａの長さより長い筒状部１７と、筒状部１７の下端部を閉塞し、ポンプ装置１４のチューブ部１４ａを差し込み可能な開閉弁１８を備える底部１９とからなる。開閉弁１８は、ポンプ装置１４のチューブ部１４ａを、液密状態を保ったままで、言い換えると液がその前後および途中のいずれにおいても漏れない状態を維持したままで、挿通させることが可能な開閉弁となっている。すなわち、開閉弁１８は、ポンプ装置１４のチューブ部１４ａが差し込まれていない状態およびポンプ装置１４が口首部１３ａに装着された状態のいずれの状態においても、底部１９において液体を通さない開閉弁となっている。中栓アダプター１５は、嵌着部分１７ａが嵌着（中途半端に嵌った状態を含まない。）されるまで押し込まれて、底部１９を口首部１３ａのさらに下方に配置した状態で口首部１３ａに取り付けられている。中栓アダプター１５は、好ましくはこれの上端面が口首部１３ａの上端面と面一又は略面一に配置されるまで、嵌着部分１７ａが口首部１３ａに押し込まれている。
【００１８】
また、本第１実施形態の容器は、例えば、乳液、クリーム、ジェル状製剤等の、粘度が５０００〜１０００００ｍＰａ・ｓ程度の液体を収容するのに好ましく、さらに１００００〜６００００ｍＰａ・ｓ程度の粘度の液を収容するためにはより好ましい。特に２００００〜５００００ｍＰａ・ｓ程度の、高い粘度の内容液の場合に、最も好ましい。すなわち、収容部１２に充填収容された内容液が高い粘度の内容液であると、内容液の内部に空気が混入した場合に、混入した空気が抜け難くなって長期に内部に滞留することで、容器の使用中に、内容液が空気を混入した状態で吐出されるエア咬みが生じ易くなる。本第１実施形態のエアレス容器１０によれば、ヘッドスペースの容積を十分に減少させることができ、且つ空気が内袋１２の内部に流入しないようにして、内袋１２の内部の空気を極く少量に留めることができるので、このような高い粘度の内容液を収容した場合に、エア咬みの発生を効果的に回避できるため有効である。
【００１９】
本第１実施形態では、容器本体１３の口首部１３ａの内側に嵌め込まれる中栓アダプター１５は、上述のように、容器本体１３の口首部１３ａの内径と同様の外径の嵌着部分１７ａを好ましくは上端部に有する、口首部１３ａの長さより長い筒状部１７と、筒状部１７の下端部を閉塞する、ポンプ装置１４のチューブ部１４ａを差し込みの前後で液密状態に維持することが可能な開閉弁１８を備える底部１９とからなり、さらに、筒状部１７の外周面には、下端部分（下端）から少なくとも口首部の上端近傍部分に至るまで（本第１実施形態では上端に至るまで）縦方向に延設した空気排出溝２１が形成されている。
【００２０】
筒状部１７は、例えばＰＰ，ＰＥ等の合成樹脂からなる成形品であって、図３（ａ）、（ｂ）にも示すように、その軸方向の略全長に亘って、容器本体１３の口首部１３ａの内径と同様の外径を有する中空の円筒形状を備えている。これによって筒状部１７の上端部は、容器本体１３の口首部１３ａの内径と同様の外径の嵌着部分１７ａとなっている。筒状部１７は、これの長さが容器本体１３の口首部１３ａの長さ（高さ）よりも長くなっており、例えばこれの上端面が口首部１３ａの上端面と面一に配置されるまで口首部１３ａの内側に押し込まれた際に、底部１９が接合された下端部を、口首部１３ａの下端部を越えてさらに下方に、好ましくは内袋１２に充填収容された内容液の液面よりも下方に配置させるようになっている（図２参照）。
【００２１】
また、本第１実施形態では、中栓アダプター１５の筒状部１７の外周面には、上述のように、底部から上端近傍部分（上端）に至るまで縦方向に延設して、空気排出溝２１が形成されている。空気排出溝２１は、本第１実施形態では、筒状部１７の直径方向に背向して、一対設けられている。筒状部１７の外周面に空気排出溝２１が設けられていることにより、製造時において容器本体１３の口首部１３ａに中栓アダプター１５を嵌め込んで行く際に、内容液の液面と、容器本体１３の口首部１３ａの上端の開口部との間に形成される、内袋１２の収容部内のヘッドスペースの空気を、空気排出溝２１を介して外部に逃がしながら、略全長に亘って口首部１３ａの内径と同様の外径を有する筒状部１７を、口首部１３ａの内周面に沿って押し込んで行くことが可能になる。
【００２２】
開閉弁１８を備える底部１９は、本第１実施形態では、筒状部１７とは別の部材として形成された、例えばシリコン、ＮＢＲ等の弾性を有する合成樹脂からなる成形品であって、頂部を下方に配置した、上底面が開口する中空の略倒立円錐形状を有している。底部１９は、略倒立円錐形状の傾斜する周面部を、下方に向けて急勾配となるよう形成することで、頂部において底面と略垂直に延設するようなっている。また底部１９の中央部に位置する周面部の下端部分に、放射方向に延設する複数のスリット２２を切込み形成することで、こられの複数のスリット２２が形成された底部１９の下端部分を、ポンプ装置１４のチューブ部１４ａを液密状態を保ったままで挿通させる、開閉弁１８として機能させるようになっている。底部１９は、筒状部１７の下端開口の周縁部に、略倒立円錐形状の上底面の周縁部を熱融着や接着剤等を介して接合することで、筒状部１７の下端部を閉塞した状態で筒状部１７に一体として取り付けられる。
【００２３】
本第１実施形態では、好ましくは、中栓アダプター１５は、例えば筒状部１７の上端面を口首部１３ａの上端面と面一に配置した状態で、開閉弁１８を備える底部１９を、内袋１２に収容された内容液の液面又は液面よりも下方に配置させる長さを有している。開閉弁１８を備える底部１９を、内容液の液面又は液面よりも下方に配置させることにより、ヘッドスペースの容積を効果的に減少することができ、例えば容器の搬送中に、収容された内容液の内部への空気の混入を極力減らすことが可能になる。
【００２４】
本第１実施形態では、エアレス容器１０は、容器本体１３の口首部１３ａにポンプ装置１４を装着固定した状態で製品化されている。エアレス容器１０を製品化する製造工程において、中栓アダプター１５を、容器本体１３の口首部１３ａの内側に、例えば筒状部１７の上端面が口首部１３ａの上端面と面一になるように嵌め込んだ後に、装着部材としてのポンプ装置１４が、これのキャップ部１６を、例えば当該キャップ部１６のスカート部１６ｂの内周面に形成された雌ネジ凸条を口首部１３ａの外周面に形成された雄ネジ凸条に螺合して、口首部１３ａに締着することで、容器本体１３の口首部１３ａに装着される（図４参照）。
【００２５】
ポンプ装置１４は、ポンプヘッド１４ｂへの押圧操作を繰り返すことにより、チューブ部１４ａを介して内袋１２による収容部から汲み上げた内容液を、ポンプヘッド１４ｂの先端の吐出口１４ｃから吐出させる機能を有する公知の吐出装置であり、内部にピストンが配設されたシリンダー１４ｄ等を備えている。
【００２６】
本第１実施形態では、容器本体１３にポンプ装置１４を取り付ける工程では、図４に示すように、内側に中栓アダプター１５が嵌め込まれた容器本体１３の口首部１３ａに、チューブ部１４ａやシリンダー１４ｄを下方に配置した状態で、キャップ部１６と一体となったポンプ装置１４を、上方から差し込んで行く。ポンプ装置１４を上方から差し込んで行く際に、チューブ部１４ａは、中栓アダプター１５の底部１９に設けられた開閉弁１８を押し広げながら、液密な状態を保持したまま開閉弁１８に差し込まれて、内袋１２による収容部に充填収容された内容液の内部に押し込まれてゆく。ここで、開閉弁１８は、チューブ部１４ａが押し込まれた時の内圧によって変形しない程度の強度を有している。チューブ部１４ａが内容液の内部に押し込まれてゆく際に、チューブ部１４ａの肉厚分、内容液の液面が上昇して、余剰空間であるヘッドスペースの容積をさらに減少させることが可能になる。また、内容液の液面の上昇に伴って、ヘッドスペース内の空気は、中栓アダプター１５の外周面に形成された空気排出溝２１介して外部に排出される。
【００２７】
チューブ部１４ａを内容液の内部にさらに押し込むと共に、ポンプ装置１４のキャップ部１６を容器本体１３の口首部１３ａに締め付けて、キャップ部１６を介してポンプ装置１４が容器本体１３に装着固定される。ポンプ装置１４が容器本体１３に装着固定されると、キャップ１６の天面部１６ａは、中栓アダプター１５の筒状部１７の上端面や口首部１３ａの上端面と気密に密着するので、エアレス容器１０は、容積を減少させたヘッドスペースに空気を流入させない状態で製品化されることになる。
【００２８】
そして、上述の構成を備える本実施形態のエアレス容器１０によれば、内容液の液面と、容器本体１３の口首部１３ａの上端の開口部との間に形成されるヘッドスペースの容積を十分に減少させると共に、使用者が使用途中でポンプ装置１４を取り外した場合でも、空気が内袋１２による収容部に入らないようにして、内容液を吐出する際にエア咬みが生じるのを効果的に回避することが可能になる。
【００２９】
すなわち、本第１実施形態のエアレス容器１０によれば、製品化された状態において、中栓アダプター１５が容器本体１３の口首部１３ａの内側に嵌め込まれており、中栓アダプター１５は、チューブ部１４ａを液密に挿通させることが可能な開閉弁１８を備える底部１９を有しており、中栓アダプター１５は、底部１９を口首部１３ａの下方に配置した状態で口首部１３ａに取り付けられているので、口首部１３ａの内側に嵌め込まれた中栓アダプター１５によって、口首部１３ａの内側を含む部分をヘッドスペースから除外させて、ヘッドスペースの容積を十分に減少させることが可能になる。また、中栓アダプター１５の底部１９に設けられた開閉弁１８は、チューブ部１４ａを液密状態を保ったままで挿通させることができると共に、チューブ部１４ａが引き抜かれても、元の状態に容易に復帰して中栓アダプター１５の下端部を閉塞することができるので、使用者が使用途中でポンプ装置１４を取り外した場合でも、閉塞した開閉弁１８によって空気が内袋１２に入り込まないようにすることが可能になる。これらによって、エアレス容器１０を購入した使用者が容器を用いて内容液を吐出する際に、エア咬みが生じるのを効果的に回避することが可能になる。
【００３０】
図５は、本発明の好ましい第２実施形態に係るエアレス容器１０’の要部を示すものである。本第２実施形態のエアレス容器１０’は、容器本体１３’の口首部１３ａ’にポンプ装置か取り付けられていないキャップ１６’が装着部材として装着されており、容器を購入した使用者が、キャップ１６’を取り外した後に、上述のキャップ部１６を有するポンプ装置１４を着け替えて使用する、着け替え用のデラミ容器（二重剥離容器）として製品化されている。
【００３１】
すなわち、本第２実施形態のエアレス容器１０’は、図５に示すように、中空の中栓アダプター１５’が、容器本体１３’の口首部１３ａ’の内側に嵌め込まれていると共に、口首部１３ａ’を覆ってキャップ１６’が装着されている。中栓アダプター１５’は、容器本体１３’の口首部１３ａ’の内径と同様の外径の嵌着部分１７ａ’を好ましくは上端部に有する、口首部１３ａ’の長さより長い筒状部１７’と、筒状部１７’の下端部を閉塞する、ポンプ装置１４のチューブ部１４ａを液密状態を保ったままで挿通させることが可能な開閉弁１８’を備える底部１９’とからなり、筒状部１７’の外周面には、下端部分（下端）から上端に至るまで空気排出溝２１’が形成されている。中栓アダプター１５’は、筒状部１７’の上端部の嵌着部分１７ａが口首部１３ａ’に嵌着されるまで押し込まれて、底部１９’を口首部１３ａ’の下方に配置した状態で口首部１３ａ’に取り付けられている。
【００３２】
また、本第２実施形態のエアレス容器１０’では、中栓アダプター１５’は、筒状部１７’の下端部を閉塞する底部１９’が、円形の平板形状を備えており、これの周縁部を熱融着や接着剤等を介して筒状部１７’の下端開口の周縁部に接合することで、筒状部１７’の下端部を閉塞した状態で、筒状部１７’に一体として取り付けられる。円形の平板形状の底部１９’は、これの中央部に、放射方向に延設する十字形状のスリット２２’を切込み形成することで、ポンプ装置１４のチューブ部１４ａを液密状態を保ったままで挿通させる開閉弁１８’を備えている。
【００３３】
さらに、本第２実施形態のエアレス容器１０’では、中栓アダプター１５’は、開閉弁１８’を有する底部１９’の上方に、当該底部１９’と間隔をおいて配置された、補助底部２３’を備えている。補助底部２３’の中央部には、底部１９’と同様に、放射方向に延設する十字形状のスリット２２’を切込み形成することで、ポンプ装置１４のチューブ部１４ａを液密状態を保ったままで挿通させる、チューブ部１４ａを差し込み可能な補助開閉弁２４’が設けられている。補助開閉弁２４’は、ポンプ装置１４のチューブ部１４ａが差し込まれていない状態およびポンプ装置１４が口首部１３ａ’に装着された状態のいずれの状態においても、底部１９’の上方において液体を通さない開閉弁となっている。これによって中栓アダプター１５’は、開閉弁１８’を有する底部１９’の上方に、ポンプ装置１４のチューブ部１４ａを液密状態を保ったままで挿通させる補助開閉弁２４’を備えることになる。
【００３４】
本第２実施形態のエアレス容器１０’によれば、ポンプ装置１４を着け替えて使用される際に、口首部１３ａ’の内側に嵌め込まれた中栓アダプター１５’によって、口首部１３ａ’の内側を含む部分をヘッドスペースから除外させて、ヘッドスペースの容積を十分に減少させることが可能になると共に、ポンプ装置１４を取り外した場合でも、閉塞した開閉弁１８’や補助開閉弁２３’によって、空気が内袋１２’による収容部に入り込まないようにして、上記第１実施形態のエアレス容器１０と同様の作用効果が奏される。
【００３５】
また、本第２実施形態のエアレス容器１０’によれば、特に、中栓アダプター１５’には、開閉弁１８’を有する底部１９’の上方に補助開閉弁２３’を備える２重構造の弁機構が設けられているので、使用者がポンプ装置１４を取り付けたり取り外したりする際に、中栓アダプター１５’から内袋１２’による収容部に空気が入り込むのを、さらに安定した状態で回避することが可能になる。
【００３６】
なお、本発明は上記各実施形態に限定されることなく種々の変更が可能である。例えば、中栓アダプターは、筒状部が、略全長に亘って容器本体の口首部の内径と同様の外径を有している必要は必ずしも無い。また中栓アダプターの外周面に空気排出溝を形成する必要は必ずしも無いが、好ましくは下端部分から少なくとも上端近傍部分に至るまで延設する空気排出溝を形成するほうが良い。空気排出溝を設けない場合、例えば図６に示すように、中栓アダプター５０は、筒状部５１の外周面に空気排出溝を形成することなく、筒状部５１の外周面を、容器本体の口首部の内径と同様の外径を有する上端部の嵌着部分５１ａから、下方に向けて緩やかに縮径させたテーパー面５１ｂとすることもできる。図６に示す中栓アダプター５０によれば、これを容器本体の口首部に嵌め込んで行く際に、ヘッドスペースの空気を、口首部の内周面とテーパー面５１ｂとの間の隙間を介して外部に逃がしながら、筒状部５１を、口首部の内周面に沿って押し込んで行くことが可能になる。
【００３７】
開閉弁１８を備える底部１９は、図３に示すような湾曲した形状以外の形状に形成することもできるが（図５参照）、底部１９を湾曲した形状とすることにより、中栓アダブターの挿入によって液に内圧がかかり、ヘッドスペースのエアーが抜けやすくなる一方で、チューブ部の挿入が容易になる。
【００３８】
また、中栓アダプターは、開閉弁を備える底部を、筒状部とは別の部材として形成して、当該底部を筒状部の下端開口を覆って一体として接合する必要は必ずしも無く、例えば図７（ａ）、（ｂ）に示すように、筒状部と底部とを同時に成形した一体成形品として、中栓アダプター６０を形成することもできる。
【００３９】
さらに、本発明のエアレス容器は、デラミ容器である必要は必ずしも無く、例えば図８（ａ）、（ｂ）に示すように、中栓アダプター７０を、保形性を有する容器本体の内部に、上下に摺動可能に中皿が設けられており、この中皿よりも上方部分を収容部として内容液が充填収容されると共に、ポンプ装置の作用によって、中皿を上昇させることにより収容部を減容させながら内容液を吐出させるようにした、ポップル容器（（ａ）参照）の容器本体の口首部や、内容液が充填収容された可撓性を有するチューブ容器の一端部にポンプ装置が取り付けられており、ポンプ装置の作用によって、チューブ容器を減容変形させながら内容液を吐出させるようにした、チューブポンプ容器（（ｂ）参照）の容器本体の口首部に嵌め込んで、本発明のエアレス容器とすることもできる。中栓アダプター７０の底部に設けられた開閉弁は、例えばチューブ部が設けられていない場合に、ポンプ装置のシリンダー部を液密状態を保ったままで挿通させることが可能な構成を備えていても良い。
【００４０】
さらにまた、中栓アダプターの筒状部は、図９（ａ）〜（ｄ）に示すように、種々の形状に形成することができる。図９（ａ）の筒状部は、外周面に周方向に延設する線状リブを設けて、この線状リブによって嵌着部分を形成したものである。図９（ａ）の筒状部では、ポンプ装置側のパッキンで気密性を向上させることができる。空気排出溝は、２箇所以上設けることもできる。図９（ｂ）の筒状部は、外周面に周方向に延設する線状リブを設けると共に、空気排出溝の底面を、下端部から上端部に向けて深さが小さくなるように傾斜するテーパー面としたものである。図９（ｃ）の筒状部は、外周面に縦方向に延設する棒状のリブを設けて、この線状リブによって嵌着部分を形成したものである。図９（ｃ）の筒状部では、容器本体の口首部の内側面に線状リブと対応する形状の嵌着凹溝を縦方向に延設させて形成して、この嵌着凹溝に線状リブを嵌め込むようにして、容器本体の口首部に嵌着させることができる。図９（ｄ）の筒状部は、上端開口の周縁部から外側に張り出して設けられた、周方向に延設する環状リブを備えており、この環状リブが口首部の上端面に載置されるまで押し込まれて、嵌着部分が口首部に嵌着されるようになっている。図９（ｄ）の筒状部では、環状リブ部は、キャップが装着されることで、キャップの天面部と口首部の上端面との間に挟みこまれて、口首部の上端面に密着するようになっている。
【符号の説明】
【００４１】
１０，１０’  エアレス容器
１１  外容器
１２，１２’  内袋（収容部）
１３，１３’  容器本体
１３ａ，１３ａ’  口首部
１４  ポンプ装置（装着部材）
１４ａ  チューブ部
１４ｄ  シリンダー
１５，１５’  中栓アダプター
１６  キャップ部
１６’  キャップ（装着部材）
１６ａ，１６ａ’  天面部
１７，１７’  筒状部
１７ａ，１７ａ’  嵌着部分
１７ｂ，１７ｂ’  上端開口
１８，１８’  開閉弁
１９，１９’  底部
２１  空気排出溝
２２  スリット
２３’  補助底部
２４’  補助開閉弁
【図１】
2014231362.tif 000003
【図２】
2014231362.tif 000004
【図３】
2014231362.tif 000005
【図４】
2014231362.tif 000006
【図５】
2014231362.tif 000007
【図６】
2014231362.tif 000008
【図７】
2014231362.tif 000009
【図８】
2014231362.tif 000010
【図９】
2014231362.tif 000011